(57)【要約】【課題】使用後の折り畳んだ濡れた傘を完全に被って雨水が外に漏れ出さないようにでき、また、傘の使用時に邪魔になることもなくさらに雨水が傘の石突の上に溜まることもなく、しかも、傘を使用しないときには見栄えよく傘を被うことができる傘用伸縮ケースを提供することにある。【解決手段】段階的に僅かに直径の異なる複数の短円筒８を順次嵌め合わせ伸縮自在に構成して折り畳んだ傘２に外嵌する伸縮ケース部と、折畳んだ傘の把持部を被って、伸長させた伸縮ケース部最把持部４側の短円筒８に嵌めるキャップとからなり、キャップを最把持部４側の短円筒８に外嵌して回わすことによって、キャップの係止用凸部と最把持部４側の短円筒８の嵌合係止部とを嵌合係止して、折畳んだ傘から雨水が伸縮ケース部やキャップの外に出ないような構成にした。【選択図】  図１
2005287649.tif 000002
【特許請求の範囲】
【請求項１】
段階的に僅かに直径の異なる複数の短円筒を順次嵌め合わせ伸縮自在に構成して折り畳んだ傘に外嵌するように設け、この傘の展開時に前記各短円筒を傘の石突側に収縮させて傘を展開し、傘を折り畳んだ時に石突側に収縮させていた前記各短円筒を傘の把持部側に引き伸ばして伸長させ、折り畳んだ傘の傘地を前記各短円筒で被覆することができる伸縮ケース部と、
前記傘を折り畳んだ時に伸長させた伸縮ケース部の最把持部側の短円筒に傘の把持部を被った状態で係止でき、且つ前記傘の展開時に前記石突側に収縮させた伸縮筒部を石突とともに被うために前記最把持部４側の短円筒から外して石突側に被せることができるキャップとからなり、
前記キャップの開口端近傍の内周面には、円周上に所定間隔を以って係止用凸部が形成されており、
前記伸縮ケース部の最把持部側の短円筒の外周面には、前記キャップを最把持部側の短円筒に外嵌して回わすことによって前記係止用凸部を着脱自在に係止できる嵌合係止部が形成させている構成を特徴とする傘用伸縮ケース。
【請求項２】
短円筒どうしの嵌合係止箇所には、一方の短円筒の端部の外周面に複数の凹凸からなる外嵌係止部を形成し、他方の短円筒の端部の内周面に前記の外嵌係止部に嵌合係止する複数の凹凸からなる内嵌係止部を形成し、伸縮ケース部の伸長時に、各短円筒の外嵌係止部と内嵌係止部が係止して互いの短円筒を連結するようにした請求項１記載の傘用伸縮ケース。
【請求項３】
短円筒どうしの嵌合係止箇所には、それぞれの短円筒の端部に嵌合フック部を形成し、伸縮ケース部の伸長時に、各短円筒の嵌合フック部が係止して互いの短円筒を連結するようにした請求項１記載の傘用伸縮ケース。
【発明の詳細な説明】
【技術分野】
【０００１】
本発明は傘用伸縮ケースに関し、主に折畳傘に設けて雨後に折り畳んだ傘の雫によって衣服や、手提げ袋やバッグ等の内部を濡らすことのない傘用伸縮ケースに関する。
【背景技術】
【０００２】
一般的な折畳み傘にあっては、降雨が予想されるような時には、折り畳んだ傘を付属の袋カバーに収納してバック等に入れて持ち歩いている。そして外出中に雨が降ってきたらバッグ等から取り出し袋カバーを外して傘を使用し、使用後は濡れた傘を畳んで再び袋カバー内に収納してバッグ等に入れている。しかし、濡れた傘の雫が袋カバーを浸透してバック内を濡らしてしまうことがある。
【０００３】
そこで、従来、合成樹脂で形成した直径の異なる複数の薄い短円筒を繋いで伸縮自在に構成した伸縮カバーも開発されている。しかし、従来の伸縮カバーは、折り畳んだ折畳み傘を被覆するカバーとして開発されたものであり、折り畳んだ傘の傘地を複数の短円筒からなる伸長させた伸縮カバーで内包できても、各短円筒は全体をテーパー状に形成されたものであったため、各短円筒の内面と折り畳んだ傘の傘地との間に多少の隙間が生じる。そのため、傘地にしみ込んだ雨水が前記隙間等から流れ出てバッグ内を濡らしてしまう。
【０００４】
また、前記の伸縮カバーを傘の上部の石突側に収縮させて傘を差して使用した場合は、石突の上方に収縮させた伸縮カバーの各短円筒で囲繞された空間に雨水が溜まり、差している傘が重く感じるといったことがある。また、傘を傾けた時に前記の溜まった雨水が急に流れ落ちて傍を通っている人にかかってしまうといった懸念もある。
【０００５】
さらに、前記の空間に溜まった雨水や、石突側に収縮させた伸縮カバーの各短円筒間の隙間に入った雨水が、展開した傘地の頂部と傘骨の頂部との縫着箇所から伝って傘の内側の傘骨を濡らし、長い間に傘骨の頂部等を錆びさせてしまうといった懸念があった。
【０００６】
なお、本発明に関連する特許文献としては次の文献等がある。
【特許文献１】実開平３−４７１３号公報
【特許文献２】実開昭６３−２２１１４号公報
【特許文献３】実開昭６２−２４７１４号公報
【特許文献４】特開２００２−２９１５０９号公報
【発明の開示】
【発明が解決しようとする課題】
【０００７】
本発明は前記のような点に鑑みて開発されたものであり、その目的とするところは、使用後の折り畳んだ濡れた傘を完全に被って雨水が外に漏れ出さないようにでき、また、傘の使用時に邪魔になることもなくさらに雨水が傘の石突の上に溜まることもなく、しかも、傘を使用しないときには見栄えよく傘を被うことができる傘用伸縮ケースを提供することにある。
【課題を解決するための手段】
【０００８】
前記のような目的を有効に達成するために請求項１に記載の本発明の傘用伸縮ケースは、段階的に僅かに直径の異なる複数の短円筒８を順次嵌め合わせ伸縮自在に構成して折り畳んだ傘２に外嵌するように設け、この傘２の展開時に前記各短円筒８を傘２の石突３側に収縮させて傘２を展開し、傘２を折り畳んだ時に石突３側に収縮させていた前記各短円筒８を傘２の把持部4側に引き伸ばして伸長させ、折り畳んだ傘２の傘地９を前記各短円筒８で被覆することができる伸縮ケース部と、前記傘２を折り畳んだ時に伸長させた伸縮筒部の最把持部４側の短円筒８に傘２の把持部４を被った状態で係止でき且つ前記傘２の展開時に前記石突３側に収縮させた伸縮ケース部１５を石突とともに被うために前記最把持部４側の短円筒８から外して石突３側に被せることができるキャップ１６とからなり、前記キャップ１６の開口端近傍の内周面には、円周上に所定間隔を以って係止用凸部が形成されており、前記伸縮ケース部の最把持部４側の短円筒８の外周面には、前記キャップを最把持部４側の短円筒８に外嵌して回わすことによって前記係止用凸部を着脱自在に係止できる嵌合係止部が形成させている構成にしてある。
【０００９】
また、請求項２に記載の本発明の傘用伸縮ケースは、請求項１に記載の本発明の傘用伸縮ケースにおいて、短円筒８どうしの嵌合係止箇所には、一方の短円筒８の端部の外周面に複数の凹凸からなる外嵌係止部２９，３１を形成し、他方の短円筒８の端部の内周面に前記の外嵌係止部２９，３１に嵌合係止する複数の凹凸からなる内嵌係止部２８、３４を形成し、伸縮ケース部１５の伸長時に、各短円筒８の外嵌係止部２９，３１と内嵌係止部３４が係止して互いの短円筒８を連結するようにした構成にしてある。
【００１０】
また、請求項３に記載の本発明の傘用伸縮ケースは、請求項１に記載の本発明の傘用伸縮ケースにおいて、短円筒８どうしの嵌合係止箇所３０には、それぞれの短円筒８の端部に嵌合フック部３２，３３を形成し、伸縮ケース部１５の伸長時に、各短円筒８の嵌合フック部３２，３３が係止して互いの短円筒８を連結するようにした構成にしてある。
【発明の効果】
【００１１】
本発明の傘用伸縮ケースでは、傘を使用するときに、折畳んだ傘の外側を被っている伸長させた伸縮ケース部の最把持部側の短円筒からキャップを外し、傘の石突側に伸縮ケース部を収縮させて、収縮させた伸縮ケース部に前記キャップを被せることができる。そのため、最石突側に収縮させた伸縮ケース部の各筒部で囲繞された石突の上の空間に雨水が溜まるのを防止でき、傘を傾けた時に溜まった雨水が急に流れ落ちて傍を通っている人にかかるといった事がなく、また使用中に雨水が前記空間に溜まって傘が重く感じるといったこともない。
【００１２】
さらに、本発明の傘用伸縮ケースでは、収縮させた伸縮ケース部の各短円筒間の隙間や、最石突側の短円筒と石突との間の隙間から雨水が下に流れ落ちて、展開した傘地の頂部と傘骨の頂部との縫着箇所から下に伝い、長い間に傘骨の頂部を錆びさせてしまうといった懸念もない。
【００１３】
また、本発明の傘用伸縮ケースでは、傘の使用後に濡れた傘を畳み、石突側のキャップを外すとともに、伸縮ケース部を伸長させて各短円筒で濡れた傘地を包むように被い、傘の把持部に前記キャップを被せるとともに、キャップの係止用凸部を、伸縮ケース部の最把持部側の短円筒の嵌合係止部に、係合させかつキャップを少し回して嵌合係止することができるため、傘地に付いた雨水が衣服を濡らしたり、折畳み傘にあってはバック等に仕舞い込んだ場合にも雨水が外に流れ出てバック内等を濡らしてしまうといったことがない。
【００１４】
また、本発明の傘用伸縮ケースでは、伸長時に、連結する一方の短筒部の複数の凹凸からなる内嵌係止部と、他方の短筒部の複数の凹凸からなる外嵌係止部とを嵌合係止して連結できるので、この連結箇所から雨水が漏れ出すのを確実に防止することができる。
【００１５】
また、本発明の傘用伸縮ケースでは、伸長時に、連結する一方の短筒部の嵌合フック部と、他方の短筒部の嵌合フック部とを嵌合係止して連結できるので、この連結箇所から雨水が漏れ出すのを確実に防止することができる。
【発明を実施するための最良の形態】
【００１６】
以下に本発明を実施するための最良の形態を図に基づいて説明する。
図１〜図２０は本発明を実施するための最良の形態の傘用伸縮ケースに関する図である。本発明の傘用伸縮ケース１を設ける傘、特に折畳傘２は特別な構造の傘ではなく、中軸７を２段又は３段等に伸縮して使用したり折り畳んで仕舞い込むことができる一般的に周知な構造の折畳傘である。また、本発明の傘用伸縮ケース１を設ける傘は、折畳傘に限らず、中軸を伸縮できない所謂折畳傘でない傘であってもよい。
【００１７】
図示の例の傘用伸縮ケース１は、折畳傘２(以後、単に傘２という)を差すときに、各短円筒８を傘２の先端の石突３側に収縮させるタイプである(図３参照)。すなわち、この傘用伸縮ケース１は、段階的に僅かに直径（外径、内径）の異なる複数(図示の例では５個)の短円筒８を順次伸縮自在に繋ぎ合わせた伸縮ケース部１５と、キャップ１６からなるものである。
【００１８】
勿論、短円筒８の数は、図示の例に限らず５個以外の複数個であってもよい。前記各短円筒８は合成樹脂または金属等によって厚さ１ｍｍ以下の薄肉で、長さ数ｃｍに形成されたものである。各短円筒８は、折り畳んだ傘２の傘地９(図２参照)に対して摺動可能な極僅かの隙間を以って傘地９の外周面を被覆する内径である。また、伸縮ケース部１５は、伸長させた時に折り畳んだ傘２の傘地９全体を完全に被覆できる長さである。
【００１９】
この傘用伸縮ケース１は、前記各短円筒８を順次嵌め合わせ伸縮自在に構成して例えば図１に示すように折り畳んだ傘２に設ける。傘２を展開する時には、キャップ１６(図２、図３参照)を外し、石突３側に伸縮ケース部１５を収縮させ、この外したキャップ１６を石突３側に収縮させた伸縮ケース部１５に被せて傘２を展開し、図４のような状態で雨の日などに使用する。なお、図２、図３において、伸縮ケース部１５の最把持部４側の短円筒８ａに形成した後述する嵌合係止部１８は図示省略する。
【００２０】
傘２を折り畳む時は、キャップ１６を石突３側から外して展開していた傘２を折畳み、伸縮ケース部１５を傘２の把持部４側に伸長させた後に、前記のキャップ１６を把持部４に被せて伸縮ケース部１５の最把持部４側の短円筒８ａに嵌合係止し、折り畳んだ傘２を伸縮ケース部１５とキャップ１６で完全に被覆する。
【００２１】
このようにして傘用伸縮ケース１で使用後の傘２を折畳んで完全に被うことにより、使用後の濡れた傘２の雫がケース１から漏れることもなく、また、濡れた傘地９が衣服や身体に触れて不快な思いをすることもない。勿論、かばんやバック等に仕舞い込んでも内部を濡らしてしまうことがない。また、折畳んで傘用伸縮ケース１で被った傘２は見栄えも良く、そのまま手で持ち歩いても今までにないファッション感覚で街を歩くことができる。
【００２２】
この傘用伸縮ケース１を構成する伸縮ケース部１５並びにキャップ１６について、さらに説明すると、伸縮ケース部１５の最把持部４側の短円筒８ａ(図５〜図７参照)には、把持部４側の外周端近傍の外周面１７に、前記キャップ１６を着脱自在に外嵌係止できる嵌合係止部１８が形成してある。
【００２３】
この嵌合係止部１８(図５参照)は、短円筒８ａの把持部側１９の外周端２０近傍の外周面１７に環状に隆起形成した環状凸部１８ａと、図示の例では同一円周上の４箇所(図６参照)に所定間隔を以って環状凸部１８ａより少し外周端２０寄りに形成した円弧状凸部１８ｂと、円弧状凸部１８ｂの中間で環状凸部１８ａと繋ぐ繋ぎ凸部１８ｃ、並びに環状凸部１８ａと円弧状凸部１８ｂと繋ぎ凸部１８ｃとによって形成されるコ状係合部１８ｄとによって構成されている。さらに図示の例では環状凸部１８ａに隣接して環状凹部２１と、この環状凹部２１に隣接して環状隆起部２２とが形成してある。
【００２４】
一方、この短円筒８ａの嵌合係止部１８に着脱自在に嵌合係止するためにキャップ１６(図８参照)は、一端を開口した有底短筒状の樹脂成形品であって、開口端２３の傍と開口端２３寄りの内周面２４に、円周上に所定間隔を以って、かつ所定間隔を以って平行に円弧状の係止用凸部２５（２５ａ，２５ｂ）が形成してある。
【００２５】
このキャップ１６の開口端２３側を前記した短円筒８ａの嵌合係止部１８に外嵌して、短円筒８ａの嵌合係止部１８にキャップ１６の係止用凸部２５を嵌合係止する場合(図７参照)は、短円筒８ａの同周円上の円弧状突部１８ｂと円弧状突部１８ｂとの各隙間２６から、キャップ１６の各係止用凸部２５（２５ａ，２５ｂ）を嵌合させて挿入する。そして、キャップ１６の各係止用凸部２５ａが短円筒８ａの環状凸部１８ａ、環状凹部２１を超えて、環状隆起部２２に乗り上げ、かつ、キャップ１６の係止用凸部２５ｂが短円筒８ａの環状凸部１８ａに当たるまで挿入する。その後に、キャップ１６を円周方向に少し回して、係止用凸部２５ｂを短円筒８ａのコ状係合部１８ｄに嵌合させ、短円筒８ａの同周円上の各円弧状突部１８ｂに、キャップ１６の各係止用凸部２５ｂを係止させる。
【００２６】
このようにして短円筒８ａにキャップ１６を嵌合係止することにより、伸縮ケース部１５やキャップ１６で覆われた折畳んだ濡れた傘２から零れる雨水は、短円筒８ａとキャップ１６を嵌合係止箇所２７から外に漏れようとするが、キャップ１６の各係止用凸部２５（２５ａ，２５ｂ）や、短円筒８ａの嵌合係止部１８（１８ａ，１８ｂ，１８ｃ，１８ｄ）や、環状凹部２１や、環状隆起部２２によって外に漏れ出すのを何重にも阻止される。そのため、前記の嵌合係止箇所２７からの雨水漏れは確実に防止することができる。
【００２７】
次に短円筒８(図９、図１７、図２０参照)どうしを嵌合係止する構成（ムリバメ嵌合の構成）について説明すると、短円筒８の一端側の内周面には、環状隆起係止部２８を形成し、前記した短円筒８ａ以外の短円筒８の他端側の外周面には、外嵌係止部として一定間隔を以って環状の隆起係止部２９（２９ａ，２９ｂ）が形成してある。伸縮ケース部１５を伸長させた時に、一方の短円筒８の環状隆起係止部２８が他方の短円筒８の隆起係止部２９ａに嵌合係止するとともに、隆起係止部２９ｂも一方の短円筒８の内周面に密着する。
【００２８】
そして、短円筒８が粘弾性を有する樹脂（例えば耐磨耗性を有し粘弾性を有するナイロンのような樹脂）によって形成されたものであり、短円筒８の隆起係止部２９（２９ａ，２９ｂ）側は嵌め合いで圧縮されて外に広がる力が作用し、一方、外嵌側の短円筒８の環状隆起係止部２８側は嵌め合いで伸びて内側に縮まる力が作用する。それ故に、折畳んだ濡れた傘２から零れる雨水は、短円筒８どうしの嵌合係止箇所３０から外に漏れようとするが、各短円筒８の環状隆起係止部２８、隆起係止部２９（２９ａ，２９ｂ）と、前記した作用による密着力によって外に漏れ出すのを確実に阻止される。そのため、前記の嵌合係止箇所３０からの雨水漏れは、確実に防止することができる。
【００２９】
また、図１４〜図１６に示すように短円筒８の隆起係止部２９ａと２９ｂとの間に、縦断面三角形状の環状凸部３１を一定間隔毎に複数個形成してもよい。この場合、内嵌係止部としての環状隆起係止部２８を形成した一方の短円筒８を、外嵌係止部としての隆起係止部２９（２９ａ，２９ｂ）および環状凸部３１を形成した短円筒８に外嵌することにより、各環状凸部３１の頂部３１ａは、図１６の２点鎖線で示すように外嵌した短円筒８によって圧縮され、図１６の２点鎖線で示すように相手形状に合わせて圧縮弾性変形し、外嵌した短円筒８の内周面に密着する。そのため、嵌合係止箇所３０からの雨水漏れは、より確実に防止することができる。
【００３０】
なお、図１６の２点鎖線で示す前記した圧縮弾性変形した各環状凸部３１の頂部３１ａは、粘弾性を有する樹脂で形成されているので、外嵌した短円筒８の内周面との密着関係が解除された時に、図１６の実線で示すような元の状態に戻る。
【００３１】
また、別の例として図１８に示すように、短円筒８の外周面の隆起係止部２９ａと２９ｂ（外嵌係止部）との間に、頂部３１ａの丸く形成した縦断面山形状の環状凸部３１（外嵌係止部）を一定間隔毎に複数個形成し、他方の短円筒８の内周面には前記短円筒８の隆起係止部２９ａ、２９ｂおよび複数の環状凸部３１に嵌合係止する複数の凹凸からなる内嵌係止部３４（環状隆起係止部２８を含む）を形成した構成であってもよい。
【００３２】
この例の場合も、連続する凹凸からなる短円筒８の外嵌係止部（隆起係止部２９ａ、２９ｂ、複数の環状凸部３１）と、連続する凹凸からなる短円筒８の内嵌係止部３４が連続して嵌合係止する。そのため、短円筒８どうしの連結箇所（嵌合係止箇所３０）から雨水が漏れ出すのを確実に防止することができる。なお、短円筒８の隆起係止部２９ａ、２９ｂ、環状凸部３１の形状は、図示の形状に限定されるものではなく、水漏れしない嵌合係止形状であれば如何なる形状に設計変更するも自由である。また、環状凸部３１の数も、３個に限らず、１個または４個以上であってもよい。また、本発明にかかる短円筒８は、前記した一方の隆起係止部２９ｂを有さない構成であってもよい。
【００３３】
また、他の例として図１９に示すように短円筒８どうしの嵌合係止箇所３０には、それぞれの短円筒８の端部に、互いに嵌合係止できる環状形状の嵌合フック部３２，３３を形成し、伸縮ケース部１５の伸長時に、各短円筒８の嵌合フック部３２，３３が係止して互いの短円筒８を連結するようにしてもよい。この例の場合も短円筒８どうしの連結箇所（嵌合係止箇所３０）から雨水が漏れ出すのを確実に防止することができる。
【００３４】
なお、石突３の下部寄りの外周面には環状の係止凹部または係止凸部（図示省略）の係止部が形成され、最石突側の短円筒８ｂには、内周面の両端近傍に、前記石突３の係止凹部または係止凸部（図示省略）に嵌合係止する環状の係止凸部または係止凹部（図示省略）の係止部が形成されていて、伸縮ケース部１５の石突３側への収縮時には短円筒８ｂの下端側の係止部が石突３の係止部に嵌合係止する。また、伸縮ケース部１５を伸長させた時には短円筒８ｂの上端側の係止部が石突３の係止部に嵌合係止することになる。
【図面の簡単な説明】
【００３５】
【図１】本発明の傘用伸縮ケース１を伸長させて折畳んだ傘を被った状態の斜視図である。
【図２】図１の本発明の傘用伸縮ケース１からキャップを外した状態の斜視図である。
【図３】図１の本発明の傘用伸縮ケース１からキャップを外して伸縮ケース部を石突側に収縮させた状態の斜視図である。
【図４】図１の本発明の傘用伸縮ケース１を備えた傘の展開使用時の状態を示す斜視図である。
【図５】本発明にかかる最把持部側の短筒部の一部断面を示す正面図である。
【図６】本発明にかかる最把持部側の短筒部の開口側の端面図である。
【図７】図７（Ａ）、図７（Ｂ）は本発明にかかる最把持部側の短筒部とキャップの嵌合係止状態を示す説明図である。
【図８】図８（Ａ）は本発明にかかるキャップの縦断面図であり、図８（Ｂ）は本発明にかかるキャップの開口側の端面図である。
【図９】本発明にかかる短筒部どうしの嵌合係止状態を示す説明図である。
【図１０】本発明の傘用伸縮ケース１を伸長させて折畳んだ傘を被った状態の片側切欠した説明図である。
【図１１】本発明の傘用伸縮ケース１を伸長させて折畳んだ傘を被った状態の正面図である。
【図１２】本発明の傘用伸縮ケース１からキャップを外して伸縮ケース部を石突側に収縮させた状態の該伸縮ケース部に外したキャップを被せた状態の片側切欠した説明図である。
【図１３】本発明の傘用伸縮ケース１から伸縮ケース部を石突側に収縮させた状態の片側切欠した説明図である。
【図１４】本発明にかかる短筒部の嵌合係止箇所の一例の断面の説明図である。
【図１５】本発明にかかる短筒部どうしの嵌合係止箇所の一例の断面の説明図である。
【図１６】本発明にかかる短筒部の嵌合係止箇所の凸部の説明図である。
【図１７】本発明にかかる短筒部どうしの嵌合係止箇所の説明図である。
【図１８】本発明にかかる短筒部どうしの嵌合係止箇所の他の例の断面の説明図である。
【図１９】本発明にかかる短筒部どうしの嵌合係止箇所のまた別の例の断面の説明図である。
【図２０】本発明にかかる最把持部の短筒部と他の短筒部との嵌合係止状態を示す片側切欠した説明図である。
【符号の説明】
【００３６】
１傘用伸縮ケース
２      傘
３      石突
４      把持部
８（８ａ）  短円筒
９      傘地
１５    伸縮ケース部
１６    キャップ
１８    嵌合係止部
２５    係止用凸部
２９，３１  外嵌係止部
３４    内嵌係止部
３３    嵌合フック部
【図１】
2005287649.tif 000003
【図２】
2005287649.tif 000004
【図３】
2005287649.tif 000005
【図４】
2005287649.tif 000006
【図５】
2005287649.tif 000007
【図６】
2005287649.tif 000008
【図７】
2005287649.tif 000009
【図８】
2005287649.tif 000010
【図９】
2005287649.tif 000011
【図１０】
2005287649.tif 000012
【図１１】
2005287649.tif 000013
【図１２】
2005287649.tif 000014
【図１３】
2005287649.tif 000015
【図１４】
2005287649.tif 000016
【図１５】
2005287649.tif 000017
【図１６】
2005287649.tif 000018
【図１７】
2005287649.tif 000019
【図１８】
2005287649.tif 000020
【図１９】
2005287649.tif 000021
【図２０】
2005287649.tif 000022